(57)【特許請求の範囲】
【請求項１】
発信側の電話装置より、発信者からの連絡内容を示す用件データを受信する留守番電話装置と、前記留守番電話装置に着脱可能に接続された記録媒体と、前記受信した用件データを暗号化するための暗号鍵データを生成する暗号鍵生成部とを含み、
前記留守番電話装置は、
前記生成された暗号鍵データを記憶部に登録する暗号鍵登録部と、
前記受信した用件データを前記記憶部に登録されている暗号鍵データに基づいて、暗号化して、暗号化用件データを生成するデータ暗号化部と、
前記生成された暗号化用件データを前記記録媒体に記録するデータ記録制御部と、
前記記憶部の暗号鍵データに基づいて、前記暗号化用件データを復号化すると共に、復号化された用件データを再生するデータ再生部とを備える留守番電話システムにおいて、
前記留守番電話装置が前記暗号鍵生成部を備え、
前記暗号鍵生成部は、前記電話装置から前記用件データの暗号化指示を示す暗号化指示信号を受信すると、前記受信した用件データを暗号化するための暗号鍵データを生成することを特徴とする留守番電話システム。
【請求項２】
発信側の電話装置より、発信者からの連絡内容を示す用件データを受信する留守番電話装置と、前記留守番電話装置に着脱可能に接続された記録媒体と、前記受信した用件データを暗号化するための暗号鍵データを生成する暗号鍵生成部とを含み、
前記留守番電話装置は、
前記生成された暗号鍵データを記憶部に登録する暗号鍵登録部と、
前記受信した用件データを前記記憶部に登録されている暗号鍵データに基づいて、暗号化して、暗号化用件データを生成するデータ暗号化部と、
前記生成された暗号化用件データを前記記録媒体に記録するデータ記録制御部と、
前記記憶部の暗号鍵データに基づいて、前記暗号化用件データを復号化すると共に、復号化された用件データを再生するデータ再生部とを備える留守番電話システムにおいて、
前記電話装置が前記暗号鍵生成部を備え、
更に、前記電話装置は前記用件データの暗号化指示を示す暗号化指示信号を入力するための入力部を含み、
前記暗号鍵生成部は、前記入力部から前記暗号化指示信号を受信すると、前記用件データを暗号化するための暗号鍵データを生成することを特徴とする留守番電話システム。
【請求項３】
前記暗号鍵生成部は、乱数データに基づいて、用件データ毎に異なる暗号鍵データを生成することを特徴とする請求項１又は２に記載の留守番電話システム。
【発明の詳細な説明】
【技術分野】
【０００１】
本発明は、発信側の電話装置より発信者からの連絡内容を示す用件データを受信する留守番電話装置と、留守番電話装置に着脱可能に接続された記録媒体とを備える留守番電話システムに関し、特に、該用件データの暗号化を行う留守番電話システムに関する。
【背景技術】
【０００２】
着信者が不在である場合等に発信者からの連絡内容を示す用件データを記録し、記録された用件データを後から再生することができる留守番電話システムが知られている。例えば、下記特許文献１では、発信側の電話装置から用件データを受信する留守番電話装置と、受信した用件データを記録すべく、該留守番電話装置に対して、着脱可能に接続された記録媒体とを有する留守番電話システムが開示されている。また、この記録媒体に記録されるデータは、ＰＣ（Ｐｅｒｓｏｎａｌ  Ｃｏｍｐｕｔｅｒ）等を用いても再生することができることが知られている。
【特許文献１】特開２０００−１８４０５２号公報
【発明の開示】
【発明が解決しようとする課題】
【０００３】
しかしながら、上記した留守番電話システムには、次のような解決すべき課題があった。即ち、留守番電話装置が用件データを記録する記録媒体が着脱可能に接続されており、また、ＰＣ等により記録媒体に記録されている用件データが再生可能であることから、例えば、記録媒体が盗難等にあった場合、悪意者がＰＣ等を用いて容易に用件データを再生することができ、機密性のある用件データが外部に漏出する虞があった。また、記録媒体に記録された用件データをＰＣ等にコピーして保存していた場合、該ＰＣがハッキング又はウイルス感染の被害にあうと、インターネットを介して保存していた用件データが外部に漏出され、漏出した用件データが悪意者により悪用されてしまう虞があった。
【課題を解決するための手段】
【０００４】
本発明は、以上の点を解決するために、次の構成を採用する。
〈構成１〉
本発明は、発信側の電話装置より、発信者からの連絡内容を示す用件データを受信する留守番電話装置と、前記留守番電話装置に着脱可能に接続された記録媒体と、前記受信した用件データを暗号化するための暗号鍵データを生成する暗号鍵生成部とを含み、前記留守番電話装置は、前記生成された暗号鍵データを記憶部に登録する暗号鍵登録部と、前記受信した用件データを前記記憶部に登録されている暗号鍵データに基づいて、暗号化して、暗号化用件データを生成するデータ暗号化部と、前記生成された暗号化用件データを前記記録媒体に記録するデータ記録制御部と、前記記憶部の暗号鍵データに基づいて、前記暗号化用件データを復号化すると共に、復号化された用件データを再生するデータ再生部とを備える留守番電話システムにおいて、前記留守番電話装置が前記暗号鍵生成部を備え、前記暗号鍵生成部は、前記電話装置から前記用件データの暗号化指示を示す暗号化指示信号を受信すると、前記受信した用件データを暗号化するための暗号鍵データを生成することを特徴とする。
〈構成２〉
他の発明は、発信側の電話装置より、発信者からの連絡内容を示す用件データを受信する留守番電話装置と、前記留守番電話装置に着脱可能に接続された記録媒体と、前記受信した用件データを暗号化するための暗号鍵データを生成する暗号鍵生成部とを含み、前記留守番電話装置は、前記生成された暗号鍵データを記憶部に登録する暗号鍵登録部と、前記受信した用件データを前記記憶部に登録されている暗号鍵データに基づいて、暗号化して、暗号化用件データを生成するデータ暗号化部と、前記生成された暗号化用件データを前記記録媒体に記録するデータ記録制御部と、前記記憶部の暗号鍵データに基づいて、前記暗号化用件データを復号化すると共に、復号化された用件データを再生するデータ再生部とを備える留守番電話システムにおいて、前記電話装置が前記暗号鍵生成部を備え、更に、前記電話装置は前記用件データの暗号化指示を示す暗号化指示信号を入力するための入力部を含み、前記暗号鍵生成部は、前記入力部から前記暗号化指示信号を受信すると、前記用件データを暗号化するための暗号鍵データを生成することを特徴とする。
〈構成３〉
構成１又は２の留守番電話システムにおいて、前記暗号鍵生成部は、乱数データに基づいて、用件データ毎に異なる暗号鍵データを生成することを特徴とする。
【発明の効果】
【０００５】
本発明の留守番電話システムでは、着信側の留守番電話装置が受信した暗号鍵データに基づいて、用件データを暗号化した暗号化用件データを生成し、生成された暗号化用件データを記録媒体に記録すると共に、暗号鍵データを留守番電話装置の記憶部に格納し、用件データの再生時には、記憶部の暗号鍵データに基づいて、記録媒体の暗号化用件データを復号化し、用件データを再生するようにしたので、着信側の留守番電話装置のみで用件データの再生を行うことができる。従って、記録媒体が盗難等に遭った場合であっても、ＰＣ等により用件データが再生されるのを防止でき、機密性のある用件データが外部に漏出するのを防止できる。
【０００６】
また、記録媒体に記録された暗号化用件データをＰＣ等にコピーして保存していた場合にハッキング又はウイルス感染によってインターネットを介して暗号化用件データが外部漏出しても、暗号化された用件データを再生することができないので、漏出した用件データが悪意者に悪用されるのを防止できる。
【発明を実施するための最良の形態】
【０００７】
以下、本発明の一実施形態を図を用いて詳細に説明する。
【実施例】
【０００８】
〈実施例の構成〉
図１は、本発明の留守番電話システムを示すブロック構成図である。
【０００９】
図１に示すように、本実施例の留守番電話システムは、発信側の電話装置１０、着信側の留守番電話装置２０、記録媒体３０及び公衆回線網４０から構成されている。
【００１０】
記録媒体３０は、例えば、メモリスティック、コンパクトフラッシュ（登録商標）等のような、留守番電話装置２０に着脱可能に接続されるメモリである。
【００１１】
電話装置１０は、制御部１１、プッシュボタン等からなる入力部１３、通信制御部１４、暗号鍵生成部１５を有している。
【００１２】
本実施例では、この入力部１３は、『０』〜『９』迄の数字を示すボタン及び、後述するように、用件データの再生を指示するための再生ボタンから構成されていることとする。
【００１３】
留守番電話装置２０は、制御部２１、記憶部２２、プッシュボタン等からなる入力部２３、通信制御部２４、暗号鍵登録部２５、データ暗号化部２６、データ記録制御部２７、再生指示部２８、データ再生部２９を有している。
【００１４】
記憶部２２は、ＲＯＭ等のようなメモリであり、留守番応答音声データ、暗号化要求音声データがそれぞれ格納される。
【００１５】
留守番応答音声データは、発信者からの連絡内容を示す用件データを受信すべく、例えば、「只今、留守にしております。用件をどうぞ」等のような発信者に対し、用件データの入力を指示する音声データである。
【００１６】
暗号化要求音声データは、受信した用件データの暗号化を行うか否かの判定をすべく、例えば、「用件データを暗号化する場合は、『０』を押下して、電話をお切りください。暗号化しない場合は、そのまま電話をお切りください」等のように、発信者に対し、用件データの暗号化を行うか否かの指示を促す音声データである。
【００１７】
以下、本実施例の留守番電話システムの電話装置１０、留守番電話装置２０、記録媒体３０及び公衆回線網４０の相互関連について説明する。
【００１８】
本実施例では、記録媒体３０は留守番電話装置２０に装着されていることとする。
【００１９】
電話装置１０の制御部１１は、いわゆるＣＰＵとして、電話装置１０を統括制御する部であり、例えば、発信者が、図示しない受話器等の音声入出力部を所定位置からはずし、入力部１３を介して着信側の留守番電話装置２０の電話番号を示す電話番号データの入力を完了すると、電話番号データを通信制御部１４に転送する。
【００２０】
通信制御部１４は、留守番電話装置２０との通信を確立する部であり、電話番号データを受けると、図示しないメモリに電話番号データを一時格納すると共に、公衆回線網４０を介して電話番号データに基づいた留守番電話装置２０に着信指示信号を送信する。
【００２１】
留守番電話装置２０の制御部２１は、いわゆるＣＰＵとして、留守番電話装置２０を統括制御する部であり、着信指示信号を受信すると、着信指示信号を通信制御部２４に転送する。
【００２２】
通信制御部２４は、発信側の電話装置１０との通信を制御する部であり、着信指示信号を受けると、設定に応じた通信制御を開始する。即ち、本実施例では、留守番制御モードが設定されていることから、図示しないスピーカ等の音声出力部に呼出音を出力させ、予め設定された所定時間が経過すると、発信者からの連絡内容を示す用件データを受信すべく、通信を確立させると共に、公衆回線網４０を介して、記憶部２２の留守番応答音声データを電話装置１０に送信する。
【００２３】
尚、留守番制御モードが設定されていないと、上記と同様に図示しないスピーカ等の音声出力部に呼出音を出力させ、着信者が着信応答すると、従来と同様に電話装置１０との通信が確立される。
【００２４】
電話装置１０の制御部１１は、留守番応答音声データを受信すると、留守番応答音声データを図示しない音声再生部に転送し、音声再生部は、スピーカ等の音声出力部を介して、「只今、留守にしております。用件をどうぞ」等の留守番応答音声を再生する。
【００２５】
発信者が図示しない受話器等を介して、留守番応答音声を聞き、連絡内容を示す用件データを入力すると、電話装置１０の制御部１１は、入力された用件データを通信制御部１４に転送する。
【００２６】
通信制御部１４は、用件データを受けると、用件データをメモリの電話番号データに基づく留守番電話装置２０に送信する。
【００２７】
留守番電話装置２０の制御部２１は、用件データを受信すると、用件データを記憶部２２に一時格納すると共に、引き続き、記憶部２２の暗号化要求音声データを通信制御部２４に転送する。
【００２８】
通信制御部２４は、暗号化要求音声データを受けると、暗号化要求音声データを電話装置１０に送信する。
【００２９】
電話装置１０の制御部１１は、暗号化要求音声データを受信すると、暗号化要求音声データを図示しない音声再生部に転送し、音声再生部は、スピーカ等の音声出力部を介して、「用件データを暗号化する場合は、『０』を押下して、電話をお切りください。暗号化しない場合は、そのまま電話をお切りください」等の暗号化要求音声を再生する。
【００３０】
電話装置１０の制御部１１は、発信者が図示しない受話器を介して、暗号化要求音声を聞き、例えば、図示しない受話器等の音声入出力部を所定位置に戻すと、通信を切断すべく、切断指示信号を通信制御部１４に転送する。
【００３１】
通信制御部１４は、切断指示信号を受けると、メモリの電話番号データに基づく留守番電話装置２０に切断指示信号を送信する。
【００３２】
一方、発信者が図示しない受話器を介して、暗号化要求音声を聞き、用件データを暗号化すべく、入力部１３を介して、『０』を入力すると、電話装置１０の制御部１１は、暗号化の指示を示す暗号化指示信号を暗号鍵生成部１５に転送する。
【００３３】
暗号鍵生成部１５は、暗号化指示信号を受けると、用件データを暗号化するための暗号鍵データを生成する。
【００３４】
制御部１１は、暗号鍵生成部１５が暗号鍵データを生成すると、生成した暗号鍵データをメモリの電話番号データに基づく留守番電話装置２０に送信する。
【００３５】
留守番電話装置２０の制御部２１は、暗号鍵データを受信すると、暗号鍵データを暗号鍵登録部２５に転送する。
【００３６】
暗号鍵登録部２５は、暗号鍵データの登録を行う部であり、暗号鍵データを受けると、暗号鍵データを記憶部２２に登録する。
【００３７】
そして、電話装置１０の制御部１１は、例えば、発信者が図示しない受話器等の音声入出力部を所定位置に戻すと、通信を切断すべく、切断指示信号を通信制御部１４に転送する。
【００３８】
通信制御部１４は、切断指示信号を受けると、メモリの電話番号データに基づく留守番電話装置２０に切断指示信号を送信する。
【００３９】
留守番電話装置２０の制御部２１は、切断指示信号を受信すると、切断指示信号を通信制御部２４に転送する。
【００４０】
通信制御部２４は、切断指示信号を受けると、電話装置１０及び留守番電話装置２０間の通信を切断する。
【００４１】
留守番電話装置２０の制御部２１は、通信制御部２４が通信を切断すると、記憶部２２を参照し、暗号鍵データが格納されていると、用件データの暗号化を開始すべく、記憶部２２の暗号鍵データをデータ暗号化部２６に転送し、暗号鍵データが格納されていないと、記憶部２２の用件データをデータ記録制御部２７に転送する。
【００４２】
データ暗号化部２６は、用件データの暗号化を行う部であり、暗号鍵データを受けると、記憶部２２の用件データを暗号鍵データに基づいて、暗号化した暗号化用件データを生成する。
【００４３】
留守番電話装置２０の制御部２１は、データ暗号化部２６が暗号化用件データを生成すると、生成された暗号化用件データをデータ記録制御部２７に転送する。
【００４４】
データ記録制御部２７は、用件データ等を記録媒体３０に記録する部であり、用件データ及び暗号化用件データのいずれかを受けると、受け付けた用件データ及び暗号化用件データのいずれかを記録媒体３０に記録する。
【００４５】
次に、留守番電話装置２０により、記録媒体３０に記録された暗号化用件データが復号化され、再生されるまでについて説明を行う。
【００４６】
記録媒体３０に記録されている暗号化用件データの再生する場合、留守番電話装置２０の着信者が、例えば、留守番電話装置２０の本体部に設けられた再生ボタン等を押下する。
【００４７】
再生指示部２８は、用件データの再生指示を行う部であり、再生ボタン等が押下されると、用件データの再生を指示する再生指示信号をデータ再生部２９に出力する。
【００４８】
データ再生部２９は、用件データの再生を行う部であり、再生指示信号を受けると、記録媒体３０の暗号化用件データを記憶部２２の暗号鍵データに基づいて、復号化すると共に、復号化された用件データを図示しないスピーカ等の音声出力部を介して再生する。
【００４９】
このように、着信側の留守番電話装置２０が受信した暗号鍵データに基づいて、用件データを暗号化した暗号化用件データを生成し、生成した暗号化用件データを記録媒体３０に記録すると共に、暗号鍵データを留守番電話装置の記憶部２２に格納し、用件データの再生時には、記憶部２２の暗号鍵データに基づいて、記録媒体３０の暗号化用件データを復号化し、用件データを再生するようにしたので、留守番電話装置２０でのみ用件データの再生を行うことができる。
【００５０】
〈実施例の動作〉
以下、本実施例の留守番電話システムの動作について説明を行う。
【００５１】
まず、留守番電話装置２０が電話装置１０から受信した用件データを暗号化し、記録媒体３０に記録するまでの説明を行う。
【００５２】
本実施例の留守番電話装置２０の通信制御部２４には、着信者が不在のため、発信者からの連絡内容を示す用件データを記録媒体３０に記録する留守番制御モードが予め設定されていることとする。
【００５３】
図２は、実施例１の留守番電話システムの暗号化動作フローチャートである。
【００５４】
電話装置１０の制御部１１は、例えば、発信者が、図示しない受話器等の音声入出力部を所定位置からはずし、入力部１３を介して着信側の留守番電話装置２０の電話番号を示す電話番号データの入力を完了すると、電話番号データを通信制御部１４に転送する。
【００５５】
通信制御部１４は、電話番号データを受けると、図示しないメモリに電話番号データを一時格納すると共に、公衆回線網４０を介して電話番号データに基づいた留守番電話装置２０に着信指示信号を送信する（Ｓ１）。
【００５６】
留守番電話装置２０の制御部２１は、着信指示信号を受信すると、着信指示信号を通信制御部２４に転送する。
【００５７】
通信制御部２４は、着信指示信号を受けると、設定に応じた通信制御を開始する。即ち、本実施例では、留守番制御モードが設定されていることから、図示しないスピーカ等の音声出力部に呼出音を出力させ、予め設定された所定時間が経過すると、発信者からの連絡内容を示す用件データを受信すべく、通信を確立させると共に、公衆回線網４０を介して、記憶部２２の留守番応答音声データを電話装置１０に送信する（Ｓ２）。
【００５８】
尚、留守番制御モードが設定されていないと、上記と同様に図示しないスピーカ等の音声出力部に呼出音を出力させ、着信者が着信応答すると、従来と同様に電話装置１０との通信が確立される。
【００５９】
電話装置１０の制御部１１は、留守番応答音声データを受信すると、留守番応答音声データを図示しない音声再生部に転送し、音声再生部は、スピーカ等の音声出力部を介して、「只今、留守にしております。用件をどうぞ」等の留守番応答音声を再生する（Ｓ３）。
【００６０】
発信者が図示しない受話器等を介して、留守番応答音声を聞き、連絡内容を示す用件データを入力すると、電話装置１０の制御部１１は、入力された用件データを通信制御部１４に転送する。
【００６１】
通信制御部１４は、用件データを受けると、用件データをメモリの電話番号データに基づく留守番電話装置２０に送信する（Ｓ４）。
【００６２】
留守番電話装置２０の制御部２１は、用件データを受信すると、用件データを記憶部２２に一時格納すると共に、引き続き、記憶部２２の暗号化要求音声データを通信制御部２４に転送する。
【００６３】
通信制御部２４は、暗号化要求音声データを受けると、暗号化要求音声データを電話装置１０に送信する（Ｓ５）。
【００６４】
電話装置１０の制御部１１は、暗号化要求音声データを受信すると、暗号化要求音声データを図示しない音声再生部に転送し、音声再生部は、スピーカ等の音声出力部を介して、「用件データを暗号化する場合は、『０』を押下して、電話をお切りください。暗号化しない場合は、そのまま電話をお切りください」等の暗号化要求音声を再生する（Ｓ６）。
【００６５】
電話装置１０の制御部１１は、発信者が図示しない受話器を介して、暗号化要求音声を聞き、例えば、図示しない受話器等の音声入出力部を所定位置に戻すと、通信を切断すべく、切断指示信号を通信制御部１４に転送する。
【００６６】
通信制御部１４は、切断指示信号を受けると、メモリの電話番号データに基づく留守番電話装置２０に切断指示信号を送信する。
【００６７】
一方、発信者が図示しない受話器を介して、暗号化要求音声を聞き、用件データを暗号化すべく、入力部１３を介して、『０』を入力すると、電話装置１０の制御部１１は、暗号化の指示を示す暗号化指示信号を暗号鍵生成部１５に転送する（Ｓ７）。
【００６８】
暗号鍵生成部１５は、暗号化指示信号を受けると、用件データを暗号化するための暗号鍵データを生成する（Ｓ８）。
【００６９】
制御部１１は、暗号鍵生成部１５が暗号鍵データを生成すると、生成した暗号鍵データをメモリの電話番号データに基づく留守番電話装置２０に送信する（Ｓ９）。
【００７０】
留守番電話装置２０の制御部２１は、暗号鍵データを受信すると、暗号鍵データを暗号鍵登録部２５に転送する。
【００７１】
暗号鍵登録部２５は、暗号鍵データを受けると、暗号鍵データを記憶部２２に登録する（Ｓ１０）。
【００７２】
そして、電話装置１０の制御部１１は、例えば、発信者が図示しない受話器等の音声入出力部を所定位置に戻すと、通信を切断すべく、切断指示信号を通信制御部１４に転送する。
【００７３】
通信制御部１４は、切断指示信号を受けると、メモリの電話番号データに基づく留守番電話装置２０に切断指示信号を送信する（Ｓ１１）。
【００７４】
留守番電話装置２０の制御部２１は、切断指示信号を受信すると、切断指示信号を通信制御部２４に転送する。
【００７５】
通信制御部２４は、切断指示信号を受けると、電話装置１０及び留守番電話装置２０間の通信を切断する（Ｓ１２）。
【００７６】
留守番電話装置２０の制御部２１は、通信制御部２４が通信を切断すると、記憶部２２を参照し、暗号鍵データが格納されていると、用件データの暗号化を開始すべく、記憶部２２の暗号鍵データをデータ暗号化部２６に転送し（Ｓ１３＆Ｓ１４）、暗号鍵データが格納されていないと、記憶部２２の用件データをデータ記録制御部２７に転送する（Ｓ１３＆Ｓ１５）。
【００７７】
データ暗号化部２６は、暗号鍵データを受けると、記憶部２２の用件データを暗号鍵データに基づいて、暗号化した暗号化用件データを生成する（Ｓ１６）。
【００７８】
留守番電話装置２０の制御部２１は、データ暗号化部２６が暗号化用件データを生成すると、生成された暗号化用件データをデータ記録制御部２７に転送する（Ｓ１７）。
【００７９】
データ記録制御部２７は、用件データ等を記録媒体３０に記録する部であり、用件データ及び暗号化用件データのいずれかを受けると、受け付けた用件データ及び暗号化用件データのいずれかを記録媒体３０に記録する（Ｓ１８）。
【００８０】
次に、留守番電話装置２０により、記録媒体３０に記録された暗号化用件データが復号化され、再生されるまでについて説明を行う。
【００８１】
図３は、実施例１の留守番電話システムにおける暗号化用件データの再生動作フローチャートである。
【００８２】
記録媒体３０に記録されている暗号化用件データを再生する場合、留守番電話装置２０の着信者が例えば、留守番電話装置２０の本体部に設けられた再生ボタン等を押下する（Ｓ１）。
【００８３】
再生指示部２８は、再生ボタン等が押下されると、暗号化用件データの再生を指示する再生指示信号をデータ再生部２９に出力する（Ｓ２）。
【００８４】
データ再生部２９は、再生指示信号を受けると、記録媒体３０の暗号化用件データを記憶部２２の暗号鍵データに基づいて復号化すると共に、復号化された用件データを図示しないスピーカ等の音声出力部を介して再生する（Ｓ３）。
【００８５】
このように、着信側の留守番電話装置２０が受信した暗号鍵データに基づいて、用件データを暗号化した暗号化用件データを生成し、生成した暗号化用件データを記録媒体３０に記録すると共に、暗号鍵データを留守番電話装置の記憶部２２に格納し、用件データの再生時には、記憶部２２の暗号鍵データに基づいて、記録媒体３０の暗号化用件データを復号化し、用件データを再生するようにしたので、留守番電話装置２０でのみ用件データの再生を行うことができる。
【００８６】
〈実施例の効果〉
本実施例の留守番電話システムでは、着信側の留守番電話装置２０が受信した暗号鍵データに基づいて、用件データを暗号化した暗号化用件データを生成し、生成された暗号化用件データを記録媒体３０に記録すると共に、暗号鍵データを留守番電話装置の記憶部２２に格納し、用件データの再生時には、記憶部２２の暗号鍵データに基づいて、記録媒体３０の暗号化用件データを復号化し、用件データを再生するようにしたので、留守番電話装置２０のみで用件データの再生を行うことができる。従って、記録媒体３０が盗難等に遭った場合であっても、ＰＣ等により用件データが再生されるのを防止でき、機密性のある用件データが外部に漏出するのを防止できる。
【００８７】
また、記録媒体３０に記録された暗号化用件データをＰＣ等にコピーして保存していた場合にハッキング又はウイルス感染によってインターネットを介して暗号化用件データが外部漏出しても、暗号化された用件データを再生することができないので、漏出した用件データが悪意者に悪用されるのを防止できる。
【産業上の利用可能性】
【００８８】
上記実施例では、電話装置１０及び留守番電話装置２０を音声データのみが授受可能な電話機に適用して説明を行ったがこれに限られることはなく、電話装置１０及び留守番電話装置２０を、例えば、音声データ及び画像データ等が授受可能なテレビ電話機、ＩＰ電話機能を有するＰＣ（Ｐｅｒｓｏｎａｌ  Ｃｏｍｐｕｔｅｒ）等に適用してもよい。
【００８９】
上記実施例では、用件データを暗号化するための暗号鍵データを発信側の電話装置１０が生成する構成であったが、これに限られることはなく、例えば、電話装置１０から、用件データの暗号化を指示する信号等のみを着信側の留守番電話装置２０に送信し、該信号を受信した留守番電話装置２０が暗号鍵データを生成する構成としてもよい。これにより、発信側の電話装置１０から留守番電話装置２０に暗号鍵データが送信されている途中で暗号鍵データが第三者に盗み見られるのを防止でき、更なるセキュリティ向上を図ることができる。
【図面の簡単な説明】
【００９０】
【図１】本発明の留守番電話システムを示すブロック構成図
【図２】実施例１の留守番電話システムの暗号化動作フローチャート
【図３】実施例１の留守番電話システムにおける暗号化用件データの再生動作フローチャート
【符号の説明】
【００９１】
１０  電話装置
１１  制御部
１３  入力部
１４  通信制御部
１５  暗号鍵生成部
２０  留守番電話装置
２１  制御部
２２  記憶部
２３  入力部
２４  通信制御部
２５  暗号鍵登録部
２６  データ暗号化部
２７  データ記録制御部
２８  再生指示部
２９  データ再生部
３０  記録媒体
４０  公衆回線網
【図１】
0004497110.tif 000002
【図２】
0004497110.tif 000003
【図３】
0004497110.tif 000004